(57)【要約】      （修正有）【課題】包装箱の積み重ね作業が容易であり、かつ段積みされた状態での包装箱の荷崩れを十分に抑制することができる箱用シートを提供する。【解決手段】箱用シートは、長さ面パネル２の上縁及び下縁の一方からこの長さ面パネルから延出するフラップ１０側に凸状に形成される破断容易線２２によって画定される差込み片２３と、長さ面パネルの上縁及び下縁の他方から長さ面パネル側に延出する一対の第１切込み２４、一対の第１切込みの基端同士を接続する第２切込み２５及び上記一対の第１切込みの基端からフラップ側に延出する一対の第３切込み２６によって画定され、組み立てられた他の箱用シートの上記差込み片を挿入可能な開口形成部２７とを有する。【選択図】図１
0003210653.tif 000002
【実用新案登録請求の範囲】
【請求項１】
組立時に四角筒状部を構成し、組立状態でそれぞれ対向し合う一対の長さ面パネル及び一対の幅面パネルと、
上記一対の長さ面パネルの上縁から延出する一対の上側外フラップと、
上記一対の幅面パネルの上縁から延出する一対の上側内フラップと、
上記一対の長さ面パネルの下縁から延出する一対の下側外フラップと、
上記一対の幅面パネルの下縁から延出する一対の下側内フラップと
を備え、
箱型に組み立て可能な箱用シートであって、
何れか一方の上記長さ面パネルの上縁及び下縁の一方からフラップ側に凸状に形成される破断容易線によって画定される差込み片と、
何れか一方の上記長さ面パネルの上縁及び下縁の他方から長さ面パネル側に延出する一対の第１切込み、一対の第１切込みの基端同士を接続する第２切込み及び上記一対の第１切込みの基端からフラップ側に延出する一対の第３切込みによって画定され、組み立てられた他の箱用シートの上記差込み片を挿入可能な開口形成部と
を有する箱用シート。
【請求項２】
上記一対の第３切込みの先端同士を接続する折り曲げ容易線を有する請求項１に記載の箱用シート。
【請求項３】
上記差込み片が、上記長さ面パネルの上縁又は下縁を基端とする略矩形状の基台部を有する請求項１又は請求項２に記載の箱用シート。
【請求項４】
上記基台部及び開口形成部の左右方向長さが略等しく、かつ上記基台部の先端の左右が面取りされている請求項３に記載の箱用シート。
【請求項５】
上記差込み片が、上記基台部の先端から突出する突出部を有し、上記破断容易線が、間隔をおいて設けられる複数のスリットと、隣接するスリット間に配される非切断部とを有し、上記突出部の先端に上記非切断部が位置している請求項３又は請求項４に記載の箱用シート。
【考案の詳細な説明】
【技術分野】
【０００１】
本考案は、箱用シートに関する。
【背景技術】
【０００２】
四角筒状部を構成可能な一対の長さ面パネル及び一対の幅面パネルと、これらの長さ面パネル及び幅面パネルの上縁及び下縁からそれぞれ延出し、上記四角筒状部の上部開口及び下部開口を封止可能なフラップとを有する段ボールシートから組み立てられる包装箱が広く用いられている。この包装箱は、例えば商品収容箱として用いられ、商品の保管、運搬、展示等に際して他の包装箱に段積みされることがある。
【０００３】
この包装箱としては、段積み状態における荷崩れを抑制可能なものも提案されている。このような荷崩れを抑制可能な包装箱としては、例えば「包装箱」（特開２００７−５５６２９号公報参照）が発案されている。
【０００４】
上記公報に記載の包装箱は、長さ面パネル及び上側外フラップの境界線を基端として上側外フラップに凸状に形成される切込みによって画定される切り込み片と、上記長さ面パネル又は下側外フラップに形成され、他の包装箱の上記切り込み片が挿入される差し込み孔とを有する。上記公報に記載の包装箱は、下側に配設される包装箱の切り込み片を上側に積み重ねられる包装箱の差し込み孔に挿入することで、段積み状態を安定的に保持することができるとされている。
【先行技術文献】
【特許文献】
【０００５】
【特許文献１】特開２００７−５５６２９号公報
【考案の概要】
【考案が解決しようとする課題】
【０００６】
上述のように、上記公報に記載の包装箱は、切り込み片が長さ面パネル及び上側外フラップの境界を基端として形成され、かつ差し込み孔が長さ面パネル又は下側外フラップのいずれかに形成される。しかしながら、上記差し込み孔が長さ面パネルに形成される場合、下側に配設される包装箱の差し込み片をまず上側に積み重ねられる包装箱の左右方向外側に出し、そのうえでこの差し込み片を適当な位置で折り曲げて差し込み孔に挿入する必要がある。一方、上記差し込み孔が下側外フラップに形成される場合、差し込み片を左右方向に倒した状態でこの差し込み片を適当な位置で上側に折り曲げて差し込み孔に挿入する必要がある。
【０００７】
このように、この包装箱は、差し込み片を差し込み孔に挿入する作業が煩雑である。また、この包装箱は、差し込み片を折り曲げることでこの折り曲げ位置の強度が低下するため、上側に積み重ねられる包装箱に対して左右方向の力が加わった際に、比較的簡単に荷崩れするおそれがある。
【０００８】
本考案は、このような不都合に鑑みてなされたものであり、包装箱の積み重ね作業が容易であり、かつ段積みされた状態での包装箱の荷崩れを十分に抑制することができる箱用シートを提供することを課題とする。
【課題を解決するための手段】
【０００９】
上記課題を解決するためになされた本考案に係る箱用シートは、組立時に四角筒状部を構成し、組立状態でそれぞれ対向し合う一対の長さ面パネル及び一対の幅面パネルと、上記一対の長さ面パネルの上縁から延出する一対の上側外フラップと、上記一対の幅面パネルの上縁から延出する一対の上側内フラップと、上記一対の長さ面パネルの下縁から延出する一対の下側外フラップと、上記一対の幅面パネルの下縁から延出する一対の下側内フラップとを備え、箱型に組み立て可能な箱用シートであって、何れか一方の上記長さ面パネルの上縁及び下縁の一方からフラップ側に凸状に形成される破断容易線によって画定される差込み片と、何れか一方の上記長さ面パネルの上縁及び下縁の他方から長さ面パネル側に延出する一対の第１切込み、一対の第１切込みの基端同士を接続する第２切込み及び上記一対の第１切込みの基端からフラップ側に延出する一対の第３切込みによって画定され、組み立てられた他の箱用シートの上記差込み片を挿入可能な開口形成部とを有する。
【００１０】
当該箱用シートは、何れか一方の上記長さ面パネルの上縁及び下縁の一方からフラップ側に凸状に形成される破断容易線によって画定される差込み片を有しており、組立状態でこの差込み片は一対の外フラップの先端同士を突き合わせることで形成される蓋部又底部の上下方向外側に突出可能に構成されている。また、当該箱用シートは、何れか一方の上記長さ面パネルの上縁及び下縁の他方から長さ面パネル側に延出する一対の第１切込み、上記一対の第１切込みの基端同士を接続する第２切込み及び上記一対の第１切込みの基端からフラップ側に延出する一対の第３切込みによって画定され、組み立てられた他の箱用シートの上記差込み片を挿入可能な開口形成部を有しているので、組立状態で上記長さ面パネル及び外フラップの境界を含む領域に開口を形成することができる。当該箱用シートは、上記開口形成部が一対の第１切込み及び第２切込みによって画定される第１片と、上記第２切込み及び一対の第３切込みによって画定される第２片とを有しており、組立状態で他の包装箱の差込み片がこの開口形成部によって形成される開口に挿入される際に、第１片が左右方向外側に若干傾斜し、第２片が上下方向内側に若干傾斜する。そのため、当該箱用シートは、上記第１片及び第２片の間に他の包装箱の差込み片をガイドしつつ、この差込み片を上記開口に無理なく挿入することがきる。従って、当該箱用シートは、包装箱の積み重ね作業が容易であると共に、他の包装箱の差込み片を上記開口に挿入することで段積み状態での荷崩れを十分に抑制することができる。
【００１１】
上記一対の第３切込みの先端同士を接続する折り曲げ容易線を有するとよい。このように、上記一対の第３切込みの先端同士を接続する折り曲げ容易線を有することによって、上記第２片を上下方向内側に傾斜させることが容易となり、他の包装箱の差込み片をより容易かつ確実に上記開口に挿入することができると共に、上記差込み片の挿入状態を安定的に保ちやすい。
【００１２】
上記差込み片が上記長さ面パネルの上縁又は下縁を基端とする略矩形状の基台部を有するとよい。このように、上記差込み片が上記長さ面パネルの上縁又は下縁を基端とする略矩形状の基台部を有することによって、上記差込み片の挿入状態を安定的に保ちやすい。
【００１３】
上記基台部及び開口形成部の左右方向長さが略等しく、かつ上記基台部の先端の左右が面取りされているとよい。このように、上記基台部及び開口形成部の左右方向長さが略等しく、かつ上記基台部の先端の左右が面取りされていることによって、上記差込み片の上記開口への挿入を容易に行うことができると共に、この差込み片の挿入状態をより安定的に保つことができる。
【００１４】
上記差込み片が、上記基台部の先端から突出する突出部を有し、上記破断容易線が、間隔をおいて設けられる複数のスリットと、隣接するスリット間に配される非切断部とを有し、上記突出部の先端に上記非切断部が位置しているとよい。このように、上記差込み片が、上記基台部の先端から突出する突出部を有し、上記破断容易線が、間隔をおいて設けられる複数のスリットと、隣接するスリット間に配される非切断部とを有し、上記突出部の先端に上記非切断部が位置していることによって、上記突出部が包装箱の組立時等に意図せず折れ曲がることを抑制することができ、ひいては上記差込み片が意図せず包装箱の蓋部又は底部から分離することを抑制することができる。
【００１５】
なお、本明細書において、「左右方向」とは、組立状態で想定される一般的な使用態様における水平方向を意味し、「上」及び「下」とは、想定される一般的な使用態様における上下を意味するが、当該箱用シートの使用時前の向きを制限することを企図するものではない。
【考案の効果】
【００１６】
以上説明したように、本考案に係る箱用シートは、包装箱の積み重ね作業が容易であり、かつ段積みされた状態での包装箱の荷崩れを十分に抑制することができる。
【図面の簡単な説明】
【００１７】
【図１】本考案の一実施形態に係る箱用シートを示す模式的平面図である。
【図２】図１の箱用シートを組み立ててなる包装箱を示す模式的斜視図である。
【図３】２つの図２の包装箱を棒積みした状態を示す模式的斜視図である。
【図４】図２の包装箱の差込み片の立ち上げ手順を示す模式的斜視図である。
【図５】図３の２つの包装箱の差込み片の挿入状態を示す模式的側面断面図である。
【図６】図１の箱用シートとは異なる形態に係る箱用シートを示す模式的平面図である。
【考案を実施するための形態】
【００１８】
以下、適宜図面を参照しつつ、本考案の実施の形態を詳説する。
【００１９】
［第一実施形態］
［箱用シート］
図１の箱用シートは、１枚のシートからなり、箱型に組み立て可能に構成される。当該箱用シートは、組立時に四角筒状部を構成し、組立状態でそれぞれ対向し合う一対の長さ面パネル１，２及び一対の幅面パネル３，４を備える。具体的には、当該箱用シートは、左右方向一方側から他方側に、第１長さ面パネル１、第１幅面パネル３、第２長さ面パネル２及び第２幅面パネル４が連接されており、第１長さ面パネル１の第１幅面パネル３との連接側と反対側の端縁に糊代部１３が連接されている。また、当該箱用シートは、一対の長さ面パネル１，２の上縁から延出する一対の上側外フラップ５，６と、一対の幅面パネル３，４の上縁から延出する一対の上側内フラップ７，８と、一対の長さ面パネル１，２の下縁から延出する一対の下側外フラップ９，１０と、一対の幅面パネル３，４の下縁から延出する一対の下側内フラップ１１，１２とを備える。一対の上側外フラップ５，６及び一対の上側内フラップ７，８は、組立状態で上記四角筒状部の上端を封止する蓋部を形成する蓋部形成パネルとして構成される。また、一対の下側外フラップ９，１０及び一対の下側内フラップ１１，１２は、組立状態で上記四角筒状部の下端を封止する底部を形成する底部形成パネルとして構成される。なお、図１において、太い実線はシートを切断して形成されるエッジを示し、細い実線はシートの表面に筋押しして形成される罫線を示す。
【００２０】
当該箱用シートに用いられるシートとしては、当該箱用シートを組み立ててなる包装箱の形状を維持できる程度の強度を有する限り特に限定されるものではなく、例えば段ボールシート、ボール紙等の紙製シート、合成樹脂製シート、紙製シートと合成樹脂製シートとの積層シート等が挙げられる。中でも、加工性、衝撃吸収性、取扱性、リサイクル性、経済性等の点から紙製のシートが好ましく、段ボールシートが特に好ましい。当該箱用シートを形成する段ボールとしては、原紙を波形状に形成した中芯をライナーに貼り合わせたものであって、例えば波形状に形成された中芯を１枚のライナーに貼り合わせた片面段ボールシート、片面段ボールシートの段頂にさらにライナーを貼り合わせた両面段ボールシート、両面段ボールシートの片側に片面段ボールシートの段頂を貼り合わせた複両面段ボールシート、複両面段ボールシートの片側に片面段ボールシートの段頂をさらに貼り合わせた複々両面段ボールシート等が挙げられる。これらの中でも、加工性、経済性、耐久性等の点から両面段ボールシートが好ましい。
【００２１】
当該箱用シートの組立手順について説明する。まず、第１長さ面パネル１を第１幅面パネル３の内面に折り重ね、続いて第２幅面パネル４を第２長さ面パネル２の内面に折り重ね、糊代部１３を第２幅面パネル４の内面に貼着する。これにより、第１長さ面パネル１、第１幅面パネル３、第２長さ面パネル２及び第２幅面パネル４が無端状に接続される。なお、当該箱用シートは、一般に第１長さ面パネル１、第１幅面パネル３、第２長さ面パネル２及び第２幅面パネル４が無端状に接続された状態でユーザに提供される。
【００２２】
次に、無端状に接続された第１長さ面パネル１、第１幅面パネル３、第２長さ面パネル２及び第２幅面パネル４を、第１長さ面パネル１及び第２長さ面パネル２が対向し、かつ第１幅面パネル３及び第２幅面パネル４が対向するように広げて四角筒状部を形成する。さらに、一対の下側内フラップ１１，１２を内側に略直角に折り曲げたうえ、一対の下側外フラップ９，１０を内側に略直角に折り曲げて先端同士を突き合わせることで底部を形成する。なお、一対の下側外フラップ９，１０の突き合わせ部には、突き合わせ状態を保持すべく封函テープＸ等を貼着することができる。続いて、一対の上側内フラップ７，８を内側に略垂直に折り曲げ、さらに一対の上側外フラップ５，６を内側に略垂直に折り曲げて先端同士を突き合わせることで蓋部を形成する。なお、一対の上側外フラップ５，６の突き合わせ部には、突き合わせ状態を保持すべく封函テープＸ等を貼着することができる。これにより、図２の包装箱２１が組み立てられる。
【００２３】
一対の長さ面パネル１，２及び一対の幅面パネル３，４は各々略矩形状に形成されている。一対の長さ面パネル１，２は略同形状に形成されている。また、一対の幅面パネル３，４は略同形状に形成されている。一対の長さ面パネル１，２及び一対の幅面パネル３，４の上下方向長さは略等しい。また、一対の長さ面パネル１，２の左右方向長さは、一対の幅面パネル３，４の左右方向長さよりも大きい。
【００２４】
一対の長さ面パネル１，２及び一対の幅面パネル３，４の上下方向長さは、当該箱用シートを組み立ててなる包装箱２１に収容する物品のサイズによって適宜設定可能であるが、例えば１０ｃｍ以上３０ｃｍ以下とすることができる。一対の長さ面パネル１，２の左右方向長さは、当該箱用シートを組み立ててなる包装箱２１に収容する物品のサイズによって適宜設定可能であるが、例えば１０ｃｍ以上４０ｃｍ以下とすることができる。一対の幅面パネル３，４の左右方向長さは、当該箱用シートを組み立ててなる包装箱２１に収容する物品のサイズによって適宜設定可能であるが、例えば５ｃｍ以上２０ｃｍ以下とすることができる。
【００２５】
第１長さ面パネル１及びこの第１長さ面パネル１の上縁から延出する上側外フラップ５には、物品を取り出す取出口を形成するための取出口形成部１４が設けられている。取出口形成部１４は、第１長さ面パネル１及び上側外フラップ５に亘って形成される略矩形状の取出口形成用破断容易線１５と、取出口形成用破断容易線１５の直線部分から内側に延出する一対の破断開始用第１切込み１６と、取出口形成用破断容易線１５の一対の破断開始用第１切込み１６間の部分から外側に延出する破断開始用第２切込み１７と、破断開始用第２切込み１７の外側端部に連接され、取出口形成用破断容易線１５と平行に配設される破断開始用第３切込み１８とを有する。取出口形成部１４は、組立状態で破断開始用第２切込み１７から包装箱２１の内側に作業者の指を入れ、この指を破断開始用第１切込み１６間の領域の内側にかけて、外側に引っ張ることで取出口形成用破断容易線１５全体を破断することができるよう構成されている。当該箱用シートは、組立状態でこの取出口形成用破断容易線１５を破断し、この取出口形成用破断容易線１５で囲まれる部分を包装箱２１から切り離すことで、取出口を形成可能に構成されている。なお、本実施形態においては、一対の上側内フラップ７，８の組立状態で取出口形成用破断容易線１５内に含まれる領域が切り欠かれている。
【００２６】
当該箱用シートは、第２長さ面パネル２の下縁から下側外フラップ１０側に凸状に形成される破断容易線２２によって画定される差込み片２３と、第２長さ面パネル２の上縁から第２長さ面パネル２側に延出する一対の第１切込み２４、一対の第１切込み２４の基端同士を接続する第２切込み２５及び一対の第１切込み２４の基端から上側外フラップ６側に延出する一対の第３切込み２６によって画定され、組み立てられた他の箱用シートの差込み片２３を挿入可能な開口形成部２７とを有する。当該箱用シートは、図３に示すように、下側に配設される包装箱２１ａの開口形成部２７によって形成される開口に上側に積み上げられる包装箱２１ｂの差込み片２３を挿入することで、段積み状態での包装箱２１ａ，２１ｂの水平位置を固定することができ、これにより包装箱２１ａ，２１ｂのずれを抑制し、これらの包装箱２１ａ，２１ｂを安定的に段積みすることができる。差込み片２３及び開口形成部２７は第２長さ面パネル２の左右方向同位置に形成されることが好ましく、左右方向中央部に形成されることがより好ましい。以下、差込み片２３及び開口形成部２７について詳説する。
【００２７】
（差込み片）
差込み片２３は、第２長さ面パネル２の下縁を基端とする略矩形状の基台部２３ａと、基台部２３ａの先端から突出する突出部２３ｂとを有する。また、基台部２３ａ及び突出部２３ｂの連接部には折り曲げ容易線（第１折り曲げ容易線２３ｃ）が形成されている。突出部２３ｂは、基台部２３ａの左右方向中央部から突出しており、略半円状に形成されている。当該箱用シートは、差込み片２３が第２長さ面パネル２の下縁を基端とする略矩形状の基台部２３ａを有することで、包装箱２１ａ，２１ｂの積み重ね状態で基台部２３ａを一対の第１切込み２４の間に安定的に保持しやすく、これにより差込み片２３の挿入状態を安定的に保ちやすい。
【００２８】
第２長さ面パネル２の左右方向長さに対する基台部２３ａの左右方向長さの比の下限としては、０．１０が好ましく、０．１５がより好ましい。一方、上記比の上限としては、０．２５が好ましく、０．２０がより好ましい。上記比が上記下限に満たないと、段積み状態の複数の包装箱２１ａ，２１ｂを十分に安定的に保持することができないおそれがある。逆に、上記比が上記上限を超えると、基台部２３ａの左右方向長さが不要に大きくなり、差込み片２３を開口形成部２７によって形成される開口に挿入し難くなるおそれがある。
【００２９】
基台部２３ａの左右方向長さに対する基台部２３ａの上下方向長さの比の下限としては、０．２が好ましく、０．３がより好ましい。一方、上記比の上限としては、０．７が好ましく、０．６がより好ましい。上記比が上記下限に満たないと、差込み片２３の上下方向長さが不十分となることで、差込み片２３を上記開口に挿入した状態での包装箱２１ａ，２１ｂの段積み状態の安定性が十分に得られないおそれがある。逆に、上記比が上記上限を超えると、差込み片２３の上下方向長さが不要に大きくなり、差込み片２３を上記開口に挿入し難くなるおそれがある。
【００３０】
基台部２３ａの左右方向長さは開口形成部２７の左右方向長さ（一対の第１切込み２４の間隔）と略等しいことが好ましい。具体的には、開口形成部２７の左右方向長さに対する基台部２３ａの左右方向長さの比の下限としては、０．９０が好ましく、０．９５がより好ましい。一方、上記比の上限としては、基台部２３ａを一対の第１切込み２４間に保持する点から１．００とすることができる。上記比が上記範囲内であることによって、差込み片２３が上記開口に挿入された状態で、上記開口に対する差込み片２３のずれが抑制されるので、段積みされた包装箱２１ａ，２１ｂのずれを容易かつ確実に抑制することができる。
【００３１】
また、当該箱用シートは、基台部２３ａ及び開口形成部２７の左右方向長さが略等しく、かつ基台部２３ａの先端の左右が面取りされていることが好ましい。この場合、開口形成部２７の左右方向長さに対する基台部２３ａの左右方向長さの比としては、１．００が特に好ましい。またこの場合、例えば基台部２３ａの先端縁が全体として突出方向側に弓なりに湾曲した形状であってもよい。当該箱用シートは、基台部２３ａ及び開口形成部２７の左右方向長さが略等しく、かつ基台部２３ａの先端の左右が面取りされていることで、差込み片２３の上記開口への挿入を容易に行うことができると共に、この差込み片２３の挿入状態を安定的に保つことができる。
【００３２】
突出部２３ｂの基端（基台部２３ａとの境界）における左右方向長さの下限としては、１．０ｃｍが好ましく、１．５ｃｍがより好ましい。一方、上記左右方向長さの上限としては、３．０ｃｍが好ましく、２．５ｃｍがより好ましい。また、突出部２３ｂの最大突出長さの下限としては、０．５ｃｍが好ましく、０．８ｃｍがより好ましい。一方、上記最大突出長さの上限としては、２．５ｃｍが好ましく、２．０ｃｍがより好ましい。当該箱用シートは、図４に示すように、組立状態で突出部２３ｂを第１折り曲げ容易線２３ｃによって内側に折り曲げ、基台部２３ａの先端縁に作業者の指をかけた状態で基台部２３ａを包装箱２１の外側に持ち上げることで差込み片２３を底部から立ち上げることができる。この際、突出部２３ｂの基端の左右方向長さ及び最大突出長さが上記範囲内であることによって、突出部２３ｂを内側に容易に折り曲げることができると共に、突出部２３ｂの折り曲げを利用して基台部２３ａの先端縁に作業者の指をかけやすい。
【００３３】
差込み片２３を画定する破断容易線２２は、間隔をおいて設けられる複数のスリットと、隣接するスリット間に配される非切断部とを有することが好ましい。また、突出部２３ｂの先端には上記非切断部が位置することが好ましい。この構成によると、突出部２３ｂが包装箱２１の組立時等に意図せず折れ曲がることを抑制することができ、ひいては差込み片２３が意図せず包装箱２１の底部から分離することを抑制することができる。
【００３４】
（開口形成部）
一対の第１切込み２４はそれぞれ直線状に形成されており、第２長さ面パネル２の上縁に対して直角に配設されている。また、一対の第１切込み２４の長さは等しい。さらに、一対の第３切込み２６はそれぞれ直線状に形成されており、第２長さ面パネル２の上縁に対して直角に配設されている。また、一対の第３切込み２６の長さは等しい。
【００３５】
一対の第１切込み２４及び一対の第３切込み２６の長さは等しいことが好ましい。一対の第１切込み２４及び一対の第３切込み２６の長さの下限としては、１．５ｃｍが好ましく、１．８ｃｍがより好ましい。一方、上記長さの上限としては、３．０ｃｍが好ましく、２．５ｃｍがより好ましい。当該箱用シートは、図５に示すように、開口形成部２７が一対の第１切込み２４及び第２切込み２５によって画定される第１片３１と、第２切込み２５及び一対の第３切込み２６によって画定される第２片３２とを有しており、上側に配設される包装箱２１ｂの差込み片２３が下側に積み重ねられる包装箱２１ａの開口形成部２７によって形成される開口に挿入される際に、第１片３１が左右方向外側に若干傾斜し、第２片３２が下方に若干傾斜する。これにより、当該箱用シートは、第１片３１及び第２片３２の間に上側に配設される包装箱２１ｂの差込み片２３をガイドしつつ、この差込み片２３を上記開口に無理なく挿入することがきる。この点に関し、上記長さが上記下限に満たないと、上記開口に挿入する際に、差込み片２３を第２長さ面パネル２に対して比較的大きく傾斜させる必要が生じ、差込み片２３を上記開口に容易に挿入し難くなるおそれがある。また、上記長さが上記下限に満たないと、差込み片２３が下側の包装箱２１ａ内に収容される物品と接触しやすくなり、差込み片２３の上記開口への挿入が困難になるおそれがある。逆に、上記長さが上記上限を超えると、第１片３１及び第２片３２によって差込み片２３をガイドする機能が不十分となるおそれや、段積み状態で第１片３１及び第２片３２によって差込み片２３を安定的に保持する機能が不十分となるおそれがある。
【００３６】
第１切込み２４及び第３切込み２６の上下方向長さに対する基台部２３ａの上下方向長さの比の下限としては、０．７が好ましく、１．０がより好ましい。一方、上記比の上限としては、２．５が好ましく、２．０がより好ましい。上記比が上記下限に満たないと、段積み状態で第１片３１及び第２片３２によって差込み片２３を安定的に保持する機能が不十分となるおそれがある。逆に、上記比が上記上限を超えると、差込み片２３を上記開口に挿入するのが困難になるおそれがある。
【００３７】
開口形成部２７は、一対の第１切込み２４の先端部同士を接続する折り曲げ容易線（第２折り曲げ容易線２８）を有することが好ましい。これにより、第１片３１を左右方向外側に傾斜させるのが容易となり、上側に配設される包装箱２１ｂの差込み片２３をより容易かつ確実に上記開口に挿入することができると共に、差込み片２３の挿入状態を安定的に保ちやすい。
【００３８】
また、開口形成部２７は、一対の第３切込み２６の先端同士を接続する折り曲げ容易線（第３折り曲げ容易線２９）を有することが好ましい。これにより、第２片３２を下方に傾斜させることが容易となり、上側に配設される包装箱２１ｂの差込み片２３をより容易かつ確実に上記開口に挿入することができると共に、差込み片２３の挿入状態を安定的に保ちやすい。
【００３９】
＜利点＞
当該箱用シートは、第２長さ面パネル２の下縁から下側外フラップ１０側に凸状に形成される破断容易線２２によって画定される差込み片２３を有しており、組立状態でこの差込み片２３は一対の下側外フラップ９，１０の先端同士を突き合わせることで形成される底部の下方に突出可能に構成されている。また、当該箱用シートは、第２長さ面パネル２の上縁から第２長さ面パネル２側に延出する一対の第１切込み２４、一対の第１切込み２４の基端同士を接続する第２切込み２５及び一対の第１切込み２４の基端から上側外フラップ６側に延出する一対の第３切込み２６によって画定され、組み立てられた他の箱用シートの差込み片２３を挿入可能な開口形成部２７を有しているので、組立状態で第２長さ面パネル２の上端及び上側外フラップ６の境界を含む領域に開口を形成することができる。当該箱用シートは、組立状態で一対の第１切込み２４及び第２切込み２５によって画定される第１片３１及び第２切込み２４及び一対の第３切込み２６によって画定される第２片３２の間に上側に配設される包装箱２１ｂの差込み片２３をガイドしつつ、この差込み片２３を上記開口に無理なく挿入することがきる。そのため、当該箱用シートは、包装箱２１ａ，２１ｂの積み重ね作業が容易であると共に、上側に配設される包装箱２１ｂの差込み片２３を下側の包装箱２１ａの上記開口に挿入することで段積み状態での荷崩れを十分に抑制することができる。
【００４０】
［第二実施形態］
図６の箱用シートは、１枚のシートからなり、箱型に組み立て可能に構成される。当該箱用シートは、組立時に四角筒状部を構成し、組立状態でそれぞれ対向し合う一対の長さ面パネル３１，３２及び一対の幅面パネル３３，３４を備える。具体的には、当該箱用シートは、左右方向一方側から他方側に、第１長さ面パネル３１、第１幅面パネル３３、第２長さ面パネル３２及び第２幅面パネル３４が連接されており、第１長さ面パネル３１の第１幅面パネル３３との連接側と反対側の端縁に糊代部４３が連接されている。また、当該箱用シートは、一対の長さ面パネル３１，３２の上縁から延出する一対の上側外フラップ３５，３６と、一対の幅面パネル３３，３４の上縁から延出する一対の上側内フラップ３７，３８と、一対の長さ面パネル３１，３２の下縁から延出する一対の下側外フラップ３９，４０と、一対の幅面パネル３３，３４の下縁から延出する一対の下側内フラップ４１，４２とを備える。一対の上側外フラップ３５，３６及び一対の上側内フラップ３７，３８は、組立状態で上記四角筒状部の上端を封止する蓋部を形成する蓋部形成パネルとして構成される。また、一対の下側外フラップ３９，４０及び一対の下側内フラップ４１，４２は、組立状態で上記四角筒状部の下端を封止する底部を形成する底部形成パネルとして構成される。
【００４１】
当該箱用シートは、第２長さ面パネル３２の上縁から上側外フラップ３６側に凸状に形成される破断容易線５２によって画定される差込み片５３と、第２長さ面パネル３２の下縁から第２長さ面パネル３２側に延出する一対の第１切込み５４、一対の第１切込み５４の基端同士を接続する第２切込み５５及び一対の第１切込み５４の基端から下側外フラップ４０側に延出する一対の第３切込み５６によって画定され、組み立てられた他の箱用シートの差込み片５３を挿入可能な開口形成部５７とを有する。当該箱用シートは、差込み片５３及び開口形成部５７の形成位置が図１の箱用シートと異なる以外、図１の箱用シートと概略同様に構成されている。
【００４２】
当該箱用シートは、上側に積み上げられる包装箱の開口形成部５７によって形成される開口に下側に配設される包装箱の差込み片５３を挿入することで、段積み状態での包装箱の水平位置を固定することができ、これにより包装箱のずれを抑制し、これらの包装箱を安定的に段積みすることができる。
【００４３】
＜利点＞
当該箱用シートは、組立状態で一対の第１切込み５４及び第２切込み５５によって画定される第１片と第２切込み５５及び一対の第３切込み５６によって画定される第２片との間に下側に配設される他の包装箱の差込み片５３をガイドしつつ、この差込み片５３を上記開口に無理なく挿入することがきる。そのため、当該箱用シートは、包装箱の積み重ね作業が容易であると共に、下側に配設される包装箱の差込み片５３を上側の包装箱の上記開口に挿入することで段積み状態での荷崩れを十分に抑制することができる。
【００４４】
［その他の実施形態］
なお、本考案に係る箱用シートは、上記態様の他、種々の変更、改良を施した態様で実施することができる。例えば上記差込み片及び開口形成部は、第１長さ面パネル及び第２長さ面パネルのいずれか一方から形成されていればよく、必ずしも上記差込み片及び開口形成部がいずれも第２長さ面パネルから形成されていなくてもよい。また、上記差込み片及び開口形成部は必ずしも各１個づつ設けられる必要はなく、複数の差込み片及び開口形成部が設けられてもよい。
【００４５】
上記差込み片は必ずしも略矩形状の基台部を有する必要はない。また、上記差込み片は、上記基台部を有する場合であっても、この基台部の先端から突出する突出部を有しなくてもよい。さらに、上記差込み片を画定する破断容易線の具体的構成は特に限定されるものではなく、例えば破断容易線のスリットが上記突出部の先端に位置していてもよい。
【産業上の利用可能性】
【００４６】
以上のように、本考案の箱用シートは、包装箱の積み重ね作業が容易であり、かつ段積みされた状態での包装箱の荷崩れを十分に抑制することができるので、物品の運搬用、保管用、展示用等に用いられる箱用シートとして適している。
【符号の説明】
【００４７】
１，３１  第１長さ面パネル
２，３２  第２長さ面パネル
３，３３  第１幅面パネル
４，３４  第２幅面パネル
５，６，３５，３６  上側外フラップ
７，８，３７，３８  上側内フラップ
９，１０，３９，４０  下側外フラップ
１１，１２，４１，４２  下側内フラップ
１３，４３  糊代部
１４  取出口形成部
１５  取出口形成用破断容易線
１６  破断開始用第１切込み
１７  破断開始用第２切込み
１８  破断開始用第３切込み
２１，２１ａ，２１ｂ  包装箱
２２，５２  破断容易線
２３，５３  差込み片
２３ａ  基台部
２３ｂ  突出部
２３ｃ  第１折り曲げ容易線
２４，５４  第１切込み
２５，５５  第２切込み
２６，５６  第３切込み
２７，５７  開口形成部
２８  第２折り曲げ容易線
２９  第３折り曲げ容易線
３１  第１片
３２  第２片
Ｘ  封函テープ
【図１】
0003210653.tif 000003
【図２】
0003210653.tif 000004
【図３】
0003210653.tif 000005
【図４】
0003210653.tif 000006
【図５】
0003210653.tif 000007
【図６】
0003210653.tif 000008